(57)【特許請求の範囲】
【請求項１】
野菜の重金属検測前処理装置であって、処理箱と前記処理箱の中の伝動空間を含み、前記処理箱の中には前記伝動空間の右側に位置する洗浄空間が固定的に設置され、前記処理箱の上端壁には入口が貫通するように設置され、前記入口が前記洗浄空間と連通しており、前記洗浄空間の底部には濾過板が固定的に設置され、前記濾過板の上端面には押板がスライド可能に設置され、前記洗浄空間の中には前記押板の上側に位置する第一回転軸が回転可能に設置され、前記第一回転軸が前記洗浄空間の右内壁に回転可能に連結され、前記第一回転軸には前記洗浄空間の中に位置する清掃板が固定的に設置され、前記清掃板の下端面にはブラシが固定的に設置され、前記処理箱の中には前記洗浄空間の右側に位置する乾燥空間が固定的に設置され、前記乾燥空間と前記洗浄空間とが連動空間により連通され、前記乾燥空間の左内壁には第二回転軸が回転可能に設置され、前記第二回転軸の外端面には撹拌板が固定的に設置され、前記撹拌板が前記第二回転軸の軸心を中心に三つ対称になるように設置され、前記撹拌板の前後端面には加熱板が固定的に設置され、前記処理箱の中には前記乾燥空間と連通した破砕空間が固定的に設置され、前記破砕空間の頂部には第一ラックがスライド可能に設置され、前記第一ラックが前記破砕空間の上方の口を閉鎖しており、前記破砕空間の底部には精濾過網が固定的に設置され、前記精濾過網の上端面には主動スライド板と従動スライド板とがスライド可能に設置され、前記主動スライド板と前記従動スライド板の対向した端面には砕き歯が固定的に設置され、前記処理箱の底部には前記破砕空間と連通した排液口が固定的に設置され、前記排液口が下方に開口しており、
洗浄を必要とする野菜と水を前記入口から前記洗浄空間の中に入れ、前記第一回転軸が回転して前記ブラシを回転連動させ、野菜についた異物と汚泥を洗浄し、洗い落とされた異物が前記濾過板から前記洗浄空間の頂部に落ち、前記押板が絶えずに左右にスライドして濾過板の上端面にある洗浄後の野菜を前記乾燥空間の中に押し入れ、前記第二回転軸が回転して前記撹拌板を回転連動させ、前記乾燥空間の中の野菜が振り回され、前記加熱板が起動して野菜を加熱して十分に乾燥させ、乾燥後、前記第一ラックが右方にスライドし、前記は最空間の上方の口が開き、乾燥後の野菜が前記精濾過網の上端面に落ち、前記主動スライド板と前記従動スライド板が対向にスライドし、前記砕き歯により野菜の液体成分を絞り出し、前記精濾過網により濾過した後に前記排液口から前記処理箱に流し、次の検測を行うことを特徴とする野菜の重金属検測前処理装置。
【請求項２】
前記処理箱の中には前記伝動空間と前記洗浄空間との間に位置するスライド溝が固定的に形成され、前記スライド溝の中にはスライダがスライド可能に設置され、前記スライダと前記スライド溝とが第一ばねにより連結され、前記第一回転軸が左方へ前記伝動空間の中まで延びており、前記第一回転軸が前記スライダを貫通しており、前記第一回転軸が前記スライダの中で回転でき、前記第一回転軸の左端壁には前記伝動空間の中に位置する第一傘歯車が固定的に設置されていることを特徴とする請求項１に記載の野菜の重金属検測前処理装置。
【請求項３】
前記押板の左端面には第二ラックが固定的に設置され、前記第二ラックが左方へ前記伝動空間の中まで延びており、前記伝動空間の前後内壁には第三回転軸が回転可能に設置され、前記第三回転軸には回転円盤が固定的に設置され、前記回転円盤の前端面には固定棒が固定的に設置され、前記伝動空間の前後内壁には前記第三回転軸の右上方に位置する第四回転軸が固定的に設置され、前記第四回転軸には前記固定棒と連結された第一歯車が回転可能に設置され、前記第一歯車と前記第二ラックの下端面とが噛み合っており、前記処理箱の中には前記連動空間の上側に位置する第二スライド溝が固定的に形成され、前記第二スライド溝と前記連動空間とが連通しており、前記第二スライド溝の中にはスライド板がスライド可能に設置され、前記スライド板は前記連動空間を封閉でき、前記スライド板の上端面と前記第二スライド溝の上内壁とが第二ばねにより連結され、前記スライド板と前記押板とが第一引縄により連結されていることを特徴とする請求項１に記載の野菜の重金属検測前処理装置。
【請求項４】
前記処理箱の中には前記伝動空間と連通した金属スライド溝が固定的に形成され、前記金属スライド溝の左内壁には電磁石が固定的に設置され、前記金属スライド溝の中には金属スライダがスライド可能に設置され、前記金属スライダと前記電磁石とが第三ばねにより連結され、前記金属スライダの下端面にはモータが固定的に設置され、前記モータの下端面にはモータ回転軸が伝動可能に連結され、前記モータ回転軸の底部末端には前記第一傘歯車と噛み合った第二傘歯車が固定的に設置され、前記伝動空間の前後内壁には前記第四回転軸の上側に位置する第五回転軸が回転可能に設置され、前記第五回転軸にはリールが固定的に設置され、前記リールと前記スライダとが第二引縄により連結され、前記第五回転軸には前記リールの後側に位置する片方向軸受が固定的に設置され、前記第五回転軸には前記片方向軸受の後側に位置する第三傘歯車が固定的に設置され、前記電磁石が通電すると、前記金属スライダが左方にスライドして前記モータを左方へスライド連動させ、前記第二傘歯車と前記第三傘歯車とが噛み合うことを特徴とする請求項２に記載の野菜の重金属検測前処理装置。
【請求項５】
前記第五回転軸と前記第三回転軸とが第一プーリにより伝動可能に連結されていることを特徴とする請求項３に記載の野菜の重金属検測前処理装置。
【請求項６】
前記処理箱の中には前記乾燥空間の右側に位置する動力空間が固定的に設置され、前記第二回転軸が右方へ前記動力空間の中まで延びており、前記第二回転軸の右端には第四傘歯車が固定的に設置され、前記動力空間の前後内壁には第六回転軸が回転可能に設置され、前記第六回転軸と前記第五回転軸とが第二プーリにより伝動可能に連結され、前記動力空間の前後内壁には前記第六回転軸の下側に位置する第七回転軸が回転可能に設置され、前記第七回転軸には前記第四傘歯車と噛み合った第五傘歯車が固定的に設置され、前記第一ラックが右方へ前記動力空間の中まで延びており、前記第一ラックの右端面と前記動力空間の右内壁とが第四ばねにより連結され、前記動力空間の中には前記第一ラックの下側に位置する第八回転軸が回転可能に設置され、前記第八回転軸と前記第七回転軸とが第三プーリにより伝動可能に連結され、前記第八回転軸には前記第一ラックの下端面と噛み合った第二歯車が固定的に設置されていることを特徴とする請求項１に記載の野菜の重金属検測前処理装置。
【請求項７】
前記処理箱の中には前記破砕空間の左側に位置する推動空間が固定的に設置され、前記推動空間の前後内壁には第九回転軸が回転可能に設置され、前記第九回転軸と前記第五回転軸とが第四プーリにより伝動可能に連結され、前記第四プーリが前記片方向軸受の外端壁に固定的に連結され、前記主動スライド板の左端面には押し棒が固定的に設置され、前記押し棒が左方へ前記推動空間の中に延びて前記カムの外端面と当接しており、前記主動スライド板の左端面と前記破砕空間の左内壁とが第五ばねにより連結され、前記従動スライド板の右端面と前記破砕空間の右内壁とが第六ばねにより連結され、前記従動スライド板と前記主動スライド板とが第三引縄により連結されていることを特徴とする請求項４に記載の野菜の重金属検測前処理装置。
【請求項８】
前記第五ばねの弾性が前記第六ばねの弾性より強いことを特徴とする請求項７に記載の野菜の重金属検測前処理装置。
【発明の詳細な説明】
【技術分野】
【０００１】
本願発明は食品安全検測技術分野に関し、具体的には野菜の重金属検測前処理装置に関する。
【背景技術】
【０００２】
大量の工業、生活汚染源及び農用化学品などが異なる形で土壌に入るため、土壌の重金属含有量が増加して野菜に影響し、これらの野菜がまた食物連鎖により人体に入ると健康を脅かすため、野菜を抜取検査する必要がある。野菜に重金属検測を行う前に、表面の汚泥を洗い落とせねばならない。現在、洗浄後の野菜は干すことで水分を除かれ、かかる時間が長く、検測効率に影響する。本願発明は上記問題を解決できる。
【先行技術文献】
【特許文献】
【０００３】
【特許文献１】中国特許出願公開第１０３９１０４４６号明細書
【発明の概要】
【発明が解決しようとする課題】
【０００４】
野菜の重金属検測前処理装置を提供し、上記問題を解決する。
【課題を解決するための手段】
【０００５】
野菜の重金属検測前処理装置であって、処理箱と前記処理箱の中の伝動空間を含み、前記処理箱の中には前記伝動空間の右側に位置する洗浄空間が固定的に設置され、前記処理箱の上端壁には入口が貫通するように設置され、前記入口が前記洗浄空間と連通しており、前記洗浄空間の底部には濾過板が固定的に設置され、前記濾過板の上端面には押板がスライド可能に設置され、前記洗浄空間の中には前記押板の上側に位置する第一回転軸が回転可能に設置され、前記第一回転軸が前記洗浄空間の右内壁に回転可能に連結され、前記第一回転軸には前記洗浄空間の中に位置する清掃板が固定的に設置され、前記清掃板の下端面にはブラシが固定的に設置され、前記処理箱の中には前記洗浄空間の右側に位置する乾燥空間が固定的に設置され、前記乾燥空間と前記洗浄空間とが連動空間により連通され、前記乾燥空間の左内壁には第二回転軸が回転可能に設置され、前記第二回転軸の外端面には撹拌板が固定的に設置され、前記撹拌板が前記第二回転軸の軸心を中心に三つ対称になるように設置され、前記撹拌板の前後端面には加熱板が固定的に設置され、前記処理箱の中には前記乾燥空間と連通した破砕空間が固定的に設置され、前記破砕空間の頂部には第一ラックがスライド可能に設置され、前記第一ラックが前記破砕空間の上方の口を閉鎖しており、前記破砕空間の底部には精濾過網が固定的に設置され、前記精濾過網の上端面には主動スライド板と従動スライド板とがスライド可能に設置され、前記主動スライド板と前記従動スライド板の対向した端面には砕き歯が固定的に設置され、前記処理箱の底部には前記破砕空間と連通した排液口が固定的に設置され、前記排液口が下方に開口しており、
洗浄を必要とする野菜と水を前記入口から前記洗浄空間の中に入れ、前記第一回転軸が回転して前記ブラシを回転連動させ、野菜についた異物と汚泥を洗浄し、洗い落とされた異物が前記濾過板から前記洗浄空間の頂部に落ち、前記押板が絶えずに左右にスライドして濾過板の上端面にある洗浄後の野菜を前記乾燥空間の中に押し入れ、前記第二回転軸が回転して前記撹拌板を回転連動させ、前記乾燥空間の中の野菜が振り回され、前記加熱板が起動して野菜を加熱して十分に乾燥させ、乾燥後、前記第一ラックが右方にスライドし、前記は最空間の上方の口が開き、乾燥後の野菜が前記精濾過網の上端面に落ち、前記主動スライド板と前記従動スライド板が対向にスライドし、前記砕き歯により野菜の液体成分を絞り出し、前記精濾過網により濾過した後に前記排液口から前記処理箱に流し、次の検測を行う。
【０００６】
有益的に、前記処理箱の中には前記伝動空間と前記洗浄空間との間に位置するスライド溝が固定的に形成され、前記スライド溝の中にはスライダがスライド可能に設置され、前記スライダと前記スライド溝とが第一ばねにより連結され、前記第一回転軸が左方へ前記伝動空間の中まで延びており、前記第一回転軸が前記スライダを貫通しており、前記第一回転軸が前記スライダの中で回転でき、前記第一回転軸の左端壁には前記伝動空間の中に位置する第一傘歯車が固定的に設置されている。
【０００７】
有益的には、前記押板の左端面には第二ラックが固定的に設置され、前記第二ラックが左方へ前記伝動空間の中まで延びており、前記伝動空間の前後内壁には第三回転軸が回転可能に設置され、前記第三回転軸には回転円盤が固定的に設置され、前記回転円盤の前端面には固定棒が固定的に設置され、前記伝動空間の前後内壁には前記第三回転軸の右上方に位置する第四回転軸が固定的に設置され、前記第四回転軸には前記固定棒と連結された第一歯車が回転可能に設置され、前記第一歯車と前記第二ラックの下端面とが噛み合っており、前記処理箱の中には前記連動空間の上側に位置する第二スライド溝が固定的に形成され、前記第二スライド溝と前記連動空間とが連通しており、前記第二スライド溝の中にはスライド板がスライド可能に設置され、前記スライド板は前記連動空間を封閉でき、前記スライド板の上端面と前記第二スライド溝の上内壁とが第二ばねにより連結され、前記スライド板と前記押板とが第一引縄により連結されている。
【０００８】
有益的には、前記処理箱の中には前記伝動空間と連通した金属スライド溝が固定的に形成され、前記金属スライド溝の左内壁には電磁石が固定的に設置され、前記金属スライド溝の中には金属スライダがスライド可能に設置され、前記金属スライダと前記電磁石とが第三ばねにより連結され、前記金属スライダの下端面にはモータが固定的に設置され、前記モータの下端面にはモータ回転軸が伝動可能に連結され、前記モータ回転軸の底部末端には前記第一傘歯車と噛み合った第二傘歯車が固定的に設置され、前記伝動空間の前後内壁には前記第四回転軸の上側に位置する第五回転軸が回転可能に設置され、前記第五回転軸にはリールが固定的に設置され、前記リールと前記スライダとが第二引縄により連結され、前記第五回転軸には前記リールの後側に位置する片方向軸受が固定的に設置され、前記第五回転軸には前記片方向軸受の後側に位置する第三傘歯車が固定的に設置され、前記電磁石が通電すると、前記金属スライダが左方にスライドして前記モータを左方へスライド連動させ、前記第二傘歯車と前記第三傘歯車とが噛み合う。
【０００９】
有益的に、前記第五回転軸と前記第三回転軸とが第一プーリにより伝動可能に連結されている。
【００１０】
前記処理箱の中には前記乾燥空間の右側に位置する動力空間が固定的に設置され、前記第二回転軸が右方へ前記動力空間の中まで延びており、前記第二回転軸の右端には第四傘歯車が固定的に設置され、前記動力空間の前後内壁には第六回転軸が回転可能に設置され、前記第六回転軸と前記第五回転軸とが第二プーリにより伝動可能に連結され、前記動力空間の前後内壁には前記第六回転軸の下側に位置する第七回転軸が回転可能に設置され、前記第七回転軸には前記第四傘歯車と噛み合った第五傘歯車が固定的に設置され、前記第一ラックが右方へ前記動力空間の中まで延びており、前記第一ラックの右端面と前記動力空間の右内壁とが第四ばねにより連結され、前記動力空間の中には前記第一ラックの下側に位置する第八回転軸が回転可能に設置され、前記第八回転軸と前記第七回転軸とが第三プーリにより伝動可能に連結され、前記第八回転軸には前記第一ラックの下端面と噛み合った第二歯車が固定的に設置されている。
【００１１】
前記処理箱の中には前記破砕空間の左側に位置する推動空間が固定的に設置され、前記推動空間の前後内壁には第九回転軸が回転可能に設置され、前記第九回転軸と前記第五回転軸とが第四プーリにより伝動可能に連結され、前記第四プーリが前記片方向軸受の外端壁に固定的に連結され、前記主動スライド板の左端面には押し棒が固定的に設置され、前記押し棒が左方へ前記推動空間の中に延びて前記カムの外端面と当接しており、前記主動スライド板の左端面と前記破砕空間の左内壁とが第五ばねにより連結され、前記従動スライド板の右端面と前記破砕空間の右内壁とが第六ばねにより連結され、前記従動スライド板と前記主動スライド板とが第三引縄により連結されている。
【００１２】
前記第五ばねの弾性が前記第六ばねの弾性より強い。
【発明の効果】
【００１３】
本願発明の効果は：本願発明は清掃装置により野菜に付着の汚泥と異物を除去し、洗浄後の野菜を十分に遠心脱水しまた加熱板で乾燥させ、乾燥時間を大幅に減らし、軽微なかき回しと振り回しにより野菜の各部を十分に乾燥させるとともに野菜の内部構造を壊さず、検測結果の精確を保証し、乾燥後の野菜を破砕して検測用試験体を抽出する。
【図面の簡単な説明】
【００１４】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成図
【図２】図２は図１におけるＡ―Ａの構成図
【図３】図３は図１におけるＢ―Ｂの構成図
【図４】図４は図１におけるＣ―Ｃの構成図
【発明を実施するための形態】
【００１６】
図１〜４の示したように、野菜の重金属検測前処理装置であって、処理箱１０と前記処理箱１０の中の伝動空間１１を含み、前記処理箱１０の中には前記伝動空間１１の右側に位置する洗浄空間７７が固定的に設置され、前記処理箱１０の上端壁には入口２９が貫通するように設置され、前記入口２９が前記洗浄空間７７と連通しており、前記洗浄空間７７の底部には濾過板７６が固定的に設置され、前記濾過板７６の上端面には押板７８がスライド可能に設置され、前記洗浄空間７７の中には前記押板７８の上側に位置する第一回転軸２６が回転可能に設置され、前記第一回転軸２６が前記洗浄空間７７の右内壁に回転可能に連結され、前記第一回転軸２６には前記洗浄空間７７の中に位置する清掃板３６が固定的に設置され、前記清掃板３６の下端面にはブラシ３７が固定的に設置され、前記処理箱１０の中には前記洗浄空間７７の右側に位置する乾燥空間７４が固定的に設置され、前記乾燥空間７４と前記洗浄空間７７とが連動空間７５により連通され、前記乾燥空間７４の左内壁には第二回転軸４６が回転可能に設置され、前記第二回転軸４６の外端面には撹拌板４１が固定的に設置され、前記撹拌板４１が前記第二回転軸４６の軸心を中心に三つ対称になるように設置され、前記撹拌板４１の前後端面には加熱板４２が固定的に設置され、前記処理箱１０の中には前記乾燥空間７４と連通した破砕空間６１が固定的に設置され、前記破砕空間６１の頂部には第一ラック６０がスライド可能に設置され、前記第一ラック６０が前記破砕空間６１の上方の口を閉鎖しており、前記破砕空間６１の底部には精濾過網３２が固定的に設置され、前記精濾過網３２の上端面には主動スライド板５７と従動スライド板５３とがスライド可能に設置され、前記主動スライド板５７と前記従動スライド板５３の対向した端面には砕き歯５８が固定的に設置され、前記処理箱１０の底部には前記破砕空間６１と連通した排液口５５が固定的に設置され、前記排液口５５が下方に開口しており、
洗浄を必要とする野菜と水を前記入口２９から前記洗浄空間７７の中に入れ、前記第一回転軸２６が回転して前記ブラシ３７を回転連動させ、野菜についた異物と汚泥を洗浄し、洗い落とされた異物が前記濾過板７６から前記洗浄空間７７の頂部に落ち、前記押板７８が絶えずに左右にスライドして濾過板７６の上端面にある洗浄後の野菜を前記乾燥空間７４の中に押し入れ、前記第二回転軸４６が回転して前記撹拌板４１を回転連動させ、前記乾燥空間７４の中の野菜が振り回され、前記加熱板４２が起動して野菜を加熱して十分に乾燥させ、乾燥後、前記第一ラック６０が右方にスライドし、前記は最空間６１の上方の口が開き、乾燥後の野菜が前記精濾過網３２の上端面に落ち、前記主動スライド板５７と前記従動スライド板５３が対向にスライドし、前記砕き歯５８により野菜の液体成分を絞り出し、前記精濾過網３２により濾過した後に前記排液口５５から前記処理箱１０に流し、次の検測を行う。
【００１７】
有益的には、前記処理箱１０の中には前記伝動空間１１と前記洗浄空間７７との間に位置するスライド溝３１が固定的に形成され、前記スライド溝３１の中にはスライダ３３がスライド可能に設置され、前記スライダ３３と前記スライド溝３１とが第一ばね３０により連結され、前記第一回転軸２６が左方へ前記伝動空間１１の中まで延びており、前記第一回転軸２６が前記スライダ３３を貫通しており、前記第一回転軸２６が前記スライダ３３の中で回転でき、前記第一回転軸２６の左端壁には前記伝動空間１１の中に位置する第一傘歯車２８が固定的に設置されている。
【００１８】
有益的には、前記押板７８の左端面には第二ラック１３が固定的に設置され、前記第二ラック１３が左方へ前記伝動空間１１の中まで延びており、前記伝動空間１１の前後内壁には第三回転軸６８が回転可能に設置され、前記第三回転軸６８には回転円盤６９が固定的に設置され、前記回転円盤６９の前端面には固定棒６７が固定的に設置され、前記伝動空間１１の前後内壁には前記第三回転軸６８の右上方に位置する第四回転軸１２が固定的に設置され、前記第四回転軸１２には前記固定棒６７と連結された第一歯車７０が回転可能に設置され、前記第一歯車７０と前記第二ラック１３の下端面とが噛み合っており、前記処理箱１０の中には前記連動空間７５の上側に位置する第二スライド溝３９が固定的に形成され、前記第二スライド溝３９と前記連動空間７５とが連通しており、前記第二スライド溝３９の中にはスライド板４０がスライド可能に設置され、前記スライド板４０は前記連動空間７５を封閉でき、前記スライド板４０の上端面と前記第二スライド溝３９の上内壁とが第二ばね３８により連結され、前記スライド板４０と前記押板７８とが第一引縄３５により連結されている。
【００１９】
有益的には、前記処理箱１０の中には前記伝動空間１１と連通した金属スライド溝１９が固定的に形成され、前記金属スライド溝１９の左内壁には電磁石１８が固定的に設置され、前記金属スライド溝１９の中には金属スライダ２１がスライド可能に設置され、前記金属スライダ２１と前記電磁石１８とが第三ばね２０により連結され、前記金属スライダ２１の下端面にはモータ２２が固定的に設置され、前記モータ２２の下端面にはモータ回転軸２５が伝動可能に連結され、前記モータ回転軸２５の底部末端には前記第一傘歯車２８と噛み合った第二傘歯車２４が固定的に設置され、前記伝動空間１１の前後内壁には前記第四回転軸１２の上側に位置する第五回転軸１４が回転可能に設置され、前記第五回転軸１４にはリール１５が固定的に設置され、前記リール１５と前記スライダ３３とが第二引縄１７により連結され、前記第五回転軸１４には前記リール１５の後側に位置する片方向軸受７２が固定的に設置され、前記第五回転軸１４には前記片方向軸受７２の後側に位置する第三傘歯車１６が固定的に設置され、前記電磁石１８が通電すると、前記金属スライダ２１が左方にスライドして前記モータ２２を左方へスライド連動させ、前記第二傘歯車２４と前記第三傘歯車１６とが噛み合う。
【００２０】
有益的には、前記第五回転軸１４と前記第三回転軸６８とが第一プーリ７１により伝動可能に連結されている。
【００２１】
有益的には、前記処理箱１０の中には前記乾燥空間７４の右側に位置する動力空間８１が固定的に設置され、前記第二回転軸４６が右方へ前記動力空間８１の中まで延びており、前記第二回転軸４６の右端には第四傘歯車４４が固定的に設置され、前記動力空間８１の前後内壁には第六回転軸７３が回転可能に設置され、前記第六回転軸７３と前記第五回転軸１４とが第二プーリ２３により伝動可能に連結され、前記動力空間８１の前後内壁には前記第六回転軸７３の下側に位置する第七回転軸４５が回転可能に設置され、前記第七回転軸４５には前記第四傘歯車４４と噛み合った第五傘歯車４７が固定的に設置され、前記第一ラック６０が右方へ前記動力空間８１の中まで延びており、前記第一ラック６０の右端面と前記動力空間８１の右内壁とが第四ばね４９により連結され、前記動力空間８１の中には前記第一ラック６０の下側に位置する第八回転軸５０が回転可能に設置され、前記第八回転軸５０と前記第七回転軸４５とが第三プーリ４８により伝動可能に連結され、前記第八回転軸５０には前記第一ラック６０の下端面と噛み合った第二歯車５１が固定的に設置されている。
【００２２】
有益的には、前記処理箱１０の中には前記破砕空間６１の左側に位置する推動空間６６が固定的に設置され、前記推動空間６６の前後内壁には第九回転軸６５が回転可能に設置され、前記第九回転軸６５と前記第五回転軸１４とが第四プーリ２７により伝動可能に連結され、前記第四プーリ２７が前記片方向軸受７２の外端壁に固定的に連結され、前記主動スライド板５７の左端面には押し棒６３が固定的に設置され、前記押し棒６３が左方へ前記推動空間６６の中に延びて前記カム６４の外端面と当接しており、前記主動スライド板５７の左端面と前記破砕空間６１の左内壁とが第五ばね５９により連結され、前記従動スライド板５３の右端面と前記破砕空間６１の右内壁とが第六ばね５２により連結され、前記従動スライド板５３と前記主動スライド板５７とが第三引縄５６により連結されている。
【００２３】
有益的には、前記第五ばね５９の弾性が前記第六ばね５２の弾性より強い。
【００２４】
装置全体の機械動作の順序：
本願発明の初期状態は、電磁石１８が通電していなく、第一ばね３０が緩み状態にあり、第二引縄１７が緩み状態にあり、スライダ３３がスライド溝３１の内部の底部に位置し、第二傘歯車２４が第一傘歯車２８と噛み合っており、押板７８が洗浄空間７７の左内壁に位置し、第一引縄３５が緩み状態にあり、第二ばね３８が緩み状態にあり、スライド板４０が連動空間７５の中に位置しかつ連動空間７５を封閉しており、第一ラック６０が伝動空間８１の中に位置しかつ破砕空間６１の上方の口を封閉しておらず、主動スライド板５７が破砕空間６１の左内壁に位置し、第三引縄５６が引き締まる状態にあり、第六ばね５２が圧縮状態にある。
１．洗浄を必要とする野菜と水を入口２９から洗浄空間７７の中に入れる。
２．モータ２２を起動することで、モータ回転軸２５を回転連動させ、モータ回転軸２５が回転して第二傘歯車２４を回転連動させ、第二傘歯車２４と第一傘歯車２８とが噛み合っているため、第二傘歯車２４が回転して第一傘歯車２８を回転連動させ、第一傘歯車２８が回転して第一回転軸２６を回転連動させ、第一回転軸２６が回転して清掃板３６を回転連動させ、清掃板３６が回転してブラシ３７を回転連動させ、ブラシ３７が回転して野菜についた汚泥と異物を除去し、汚泥と異物が濾過板７６を通った後に洗浄空間７７の底部に入る。
３．電磁石１８が通電して金属スライダ２１を吸引し、金属スライダ２１が左方にスライドしてモータ２２を左方へスライド連動させ、したがって第二傘歯車２４と第三傘歯車１６とが噛み合い、第二傘歯車２４が回転して第三傘歯車１６を回転連動させ、第三傘歯車１６が回転して第五回転軸１４を回転連動させ、第五回転軸１４が回転してリール１５を回転連動させ、リール１５が回転して第二引縄１７を巻取り、第二引縄１７が巻き取られてスライダ３３を上方へスライドさせ、スライダ３３が上方へスライドして第一回転軸２６を上方へスライドさせる。
４．第五回転軸１４と第三回転軸６８とが第一プーリ７１により伝動可能に連結されているため、第五回転軸１４が回転して第三回転軸６８を回転連動させ、第三回転軸６８が回転して回転円盤６９を回転連動させ、回転円盤６９が回転して固定棒６７を回転連動させ、固定棒６７と第一歯車７０とが連結されているため、固定棒６７が回転して第一歯車７０を回転連動させ、第一歯車７０が回転して第二ラック１３を絶えずに左右にスライドさせ、第二ラック１３が絶えずに左右にスライドして押板７８を絶えずに左右にスライドさせ、押板７８が絶えずに左右にスライドして濾過板７６にある野菜を乾燥空間７４の中に押し入れる。
５．押板７８が右方にスライドするとき、第一引縄３５が引っ張られ、第一引縄３５が引っ張られてスライド板４０を上方へスライドさせ、連動空間７５が開けられる。
６．第六回転軸７３と第五回転軸１４とが第二プーリ２３により伝動可能に連結されているため、第五回転軸１４が回転して第六回転軸７３を回転連動させ、第六回転軸７３と第七回転軸４５とが第五プーリ４３により伝動可能に連結されているため、第六回転軸７３が回転して第七回転軸４５を回転連動させ、第七回転軸４５が回転して第五傘歯車４７を回転連動させ、第五傘歯車４７が第四傘歯車４４と噛み合っているため、第五傘歯車４７が回転して第四傘歯車４４を回転連動させ、第四傘歯車４４が回転して第二回転軸４６を回転連動させ、第二回転軸４６が回転して撹拌板４１を回転連動させ、撹拌板４１が回転して乾燥空間７４の中の野菜を撹拌し振り回し、水を落とし、さらに加熱板４２が起動して加熱し、野菜の乾燥を加速する。
７．第七回転軸４５と第八回転軸５０とが第三プーリ４８により伝動可能に連結されているため、第七回転軸４５が回転して第八回転軸５０を回転連動させ、第八回転軸５０が回転して第二歯車５１を回転連動させ、第二歯車５１が回転して第一ラック６０を左方へ破砕空間６１の中までスライドさせ、破砕空間６１の上方の口が封閉される。
８．乾燥後、モータ２２が起動して逆転し、第五回転軸１４を逆転させ、さらに第四ばね４９が復帰して第一ラック６０を右方へ動力空間８１の中までスライドさせ、破砕空間６１が上方の口が開けられ、乾燥空間７４の中の野菜が破砕空間６１の中に落ちる。
９．第五回転軸１４が逆転して片方向軸受７２を回転連動させ、片方向軸受７２と第九回転軸６５とが第四プーリ２７により伝動可能に連結されているため、片方向軸受７２が回転して第九回転軸６５を回転連動させ、第九回転軸６５が回転してカム６４を回転連動させ、カム６４が回転して絶えずに押し棒６３を左右に押し動かし、押し棒６３が絶えずに左右にスライドして主動スライド板５７を絶えずに左右にスライドさせる。
１０．主動スライド板５７が右方にスライドするとき、第三引縄５６が緩くなって第六ばね５２を復帰させ、第六ばね５２が復帰して従動スライド板５３を左方へスライドさせ、主動スライド板５７と従動スライド板５３とが対向した方向に移動し、砕き歯５８により野菜を破砕し、抽出した検測待の野菜汁が精濾過網３２に濾過された後に排液口５５から流れ出る。
【００２５】
上記方式により、本分野の当業者は本願発明の範囲内に作動パターンにより各種な変化を実行できる。
【要約】
【課題】本発明は野菜の重金属検測前処理装置を開示した。
【解決手段】
処理箱と前記処理箱の中の伝動空間を含み、前記処理箱の中には前記伝動空間の右側に位置する洗浄空間が固定的に設置され、前記処理箱の上端壁には入口が貫通するように設置され、前記入口が前記洗浄空間と連通しており、前記洗浄空間の底部には濾過板が固定的に設置され、前記濾過板の上端面には押板がスライド可能に設置され、前記洗浄空間の中には前記押板の上側に位置する第一回転軸が回転可能に設置され、前記第一回転軸が前記洗浄空間の右内壁に回転可能に連結され、前記第一回転軸には前記洗浄空間の中に位置する清掃板が固定的に設置され、前記清掃板の下端面にはブラシが固定的に設置されている。
【選択図】図１【図１】
0006799214.tif 000002
【図２】
0006799214.tif 000003
【図３】
0006799214.tif 000004
【図４】
0006799214.tif 000005